(57)【要約】【課題】  バッテリーの不用意な脱落を防止しつつ、バッテリー取り外し操作を簡素化する上で有利なバッテリーホルダおよび電子機器を提供する。【解決手段】  バッテリーホルダは、バッテリーを収容する収容凹部と、該収容凹部へのバッテリーの係脱を行なう係脱機構１４と、該係脱機構１４の動きを許容および禁止するロック機構１６とを備えている。係脱機構１４は、第１の操作部材１４０２、係合爪１４０４、第１のばね手段１４０６、第２のばね手段１４０７などを有している。ロック機構１６は、第２の操作部材１６０２と、第３のばね手段１６０４とを有している。【選択図】        図７
2005050753.tif 000002
【特許請求の範囲】
【請求項１】
バッテリーの電力により動作する機器本体と、
前記バッテリーを収容するバッテリーホルダとを備え、
前記バッテリーホルダは、バッテリーを収容する収容凹部と、前記収容凹部へのバッテリーの係脱を行なう係脱機構とを備え、
前記係脱機構は、前記収容凹部へのバッテリーの係合状態を解除する第１の操作部材を有する電子機器であって、
前記第１の操作部材の動きを阻止するとともに許容するロック機構が設けられ、
前記ロック機構は、ロック位置とロック解除位置との間で往復移動し、バッテリーが前記収容凹部に収容された状態で前記ロック位置からロック解除位置に移動させると該ロック解除位置に留まる第２の操作部材を有し、
前記ロック機構は、前記第２の操作部材が前記ロック位置に位置した状態で第１の操作部材の動きが阻止され、前記ロック解除位置に位置した状態で第１の操作部材の動きが許容されるように構成されている、
ことを特徴とする電子機器。
【請求項２】
前記第１の操作部材と前記第２の操作部材は、それぞれユーザーにより操作される操作部を有し、前記第１の操作部材の操作部と前記第２の操作部材の操作部は、互いに近接した箇所に配置されていることを特徴とする請求項１記載の電子機器。
【請求項３】
前記第１の操作部材は揺動操作され、前記第２の操作部材は、前記第１の操作部材の揺動軌跡で形成される面に対して直交する方向に延在し、前記ロック位置とロック解除位置との間で往復移動される際に前記直交する方向に沿い往復直線移動するアームを有し、前記アームが第１の操作部材の揺動軌跡内に侵入することで前記第２の操作部材は前記ロック位置となり、前記アームが第１の操作部材の揺動軌跡外に位置することで前記第２の操作部材は前記ロック解除位置となるように構成されていることを特徴とする請求項１記載の電子機器。
【請求項４】
前記第２の操作部材は前記ロック解除位置において前記アームの先端が第１の操作部材に当接し、前記アームの先端を第１の操作部材に当接する方向に付勢するばね手段が設けられていることを特徴とする請求項３記載の電子機器。
【請求項５】
前記第１の操作部材は揺動操作され、前記第１の操作部材は揺動中心となる支軸と、前記支軸から該支軸の半径方向外方に延在するアーム部と、前記アーム部の先端に設けられユーザーにより操作される操作部とを有することを特徴とする請求項１記載の電子機器。
【請求項６】
前記係脱機構は、第１の操作部材の操作により前記収容凹部に出没し該収容凹部に突出した状態でバッテリーの係合凹部に係合する係合爪と、前記係合爪を前記収容凹部に突出する方向に付勢するばね手段とを有していることを特徴とする請求項１記載の電子機器。
【請求項７】
前記第１の操作部材は揺動操作され、前記第１の操作部材は揺動中心となる支軸と、前記支軸から該支軸の半径方向外方に延在するアーム部と、前記アーム部の先端に設けられユーザーにより操作される操作部とを有し、前記係脱機構は、第１の操作部材の操作により前記収容凹部に出没し該収容凹部に突出した状態でバッテリーの係合凹部に係合する係合爪と、前記係合爪を前記収容凹部に突出する方向に付勢するばね手段とを有し、前記アーム部に、前記係合爪に係合し係合爪を前記収容凹部外に移動させる係合部が設けられ、前記第１の操作部材を、前記係合爪がバッテリーの係合凹部から外れる方向に付勢するばね手段が設けられ、前記ばね手段の付勢力は前記ばね手段の付勢力よりも強く設定されていることを特徴とする請求項１記載の電子機器。
【請求項８】
バッテリーの電力により動作する機器本体と、
前記バッテリーを収容するバッテリーホルダとを備え、
前記バッテリーホルダは、バッテリーを収容する収容凹部と、前記収容凹部へのバッテリーの係脱を行なう係脱機構とを備え、
前記係脱機構は、移動操作されることで前記収容凹部へのバッテリーの係合状態を解除する第１の操作部材を有する電子機器であって、
前記第１の操作部材の動きを阻止するとともに許容するロック機構が設けられ、
前記ロック機構は、前記第１の操作部材の近傍に設けられロック位置とロック解除位置との間で往復移動しバッテリーが前記収容凹部に収容され前記係脱機構がバッテリーに係合した状態で前記ロック位置に位置する第２の操作部材を有し、
前記ロック機構は、前記第２の操作部材から前記第１の操作部材側に突出し前記第２の操作部材が前記ロック位置に位置した状態で、前記第１の操作部材の移動軌跡内に進入して第１の操作部材の動きを阻止し、かつ、前記第２の操作部材が前記ロック位置からロック解除位置に移動されると、前記第１の操作部材の移動軌跡外に退出して第１の操作部材の動きを許容する突出部を有し、
さらに、前記ロック機構は、前記突出部が前記第１の操作部材の移動軌跡外に退出した状態で前記突出部を前記第１の操作部材に係合させ前記第２の操作部材をロック解除位置に留めるばね手段を有している、
ことを特徴とする電子機器。
【請求項９】
前記第１の操作部材は揺動操作され、前記第２の操作部材は、前記第１の操作部材の揺動軌跡で形成される面に対して直交する方向に延在し、前記ロック位置とロック解除位置との間で往復移動される際に前記直交する方向に沿い往復直線移動するアームを有し、このアームにより前記突出部が構成されていることを特徴とする請求項８記載の電子機器。
【請求項１０】
バッテリーを収容する収容凹部と、
前記収容凹部へのバッテリーの係脱を行なう係脱機構とを備え、
前記係脱機構は、前記収容凹部へのバッテリーの係合状態を解除する第１の操作部材を有するバッテリーホルダであって、
前記第１の操作部材の動きを阻止するとともに許容するロック機構が設けられ、
前記ロック機構は、ロック位置とロック解除位置との間で往復移動し、バッテリーが前記収容凹部に収容された状態で前記ロック位置からロック解除位置に移動させると該ロック解除位置に留まる第２の操作部材を有し、
前記ロック機構は、前記第２の操作部材が前記ロック位置に位置した状態で第１の操作部材の動きが阻止され、前記ロック解除位置に位置した状態で第１の操作部材の動きが許容されるように構成されている、
ことを特徴とするバッテリーホルダ。
【請求項１１】
前記第１の操作部材と前記第２の操作部材は、それぞれユーザーにより操作される操作部を有し、前記第１の操作部材の操作部と前記第２の操作部材の操作部は、互いに近接した箇所に配置されていることを特徴とする請求項１０記載のバッテリーホルダ。
【請求項１２】
前記第１の操作部材は揺動操作され、前記第２の操作部材は、前記第１の操作部材の揺動軌跡で形成される面に対して直交する方向に延在し、前記ロック位置とロック解除位置との間で往復移動される際に前記直交する方向に沿い往復直線移動するアームを有し、前記アームが第１の操作部材の揺動軌跡内に侵入することで前記第２の操作部材は前記ロック位置となり、前記第２アームが第１の操作部材の揺動軌跡外に位置することで前記第２の操作部材は前記ロック解除位置となるように構成されていることを特徴とする請求項１０記載のバッテリーホルダ。
【請求項１３】
前記第２の操作部材は前記ロック解除位置において前記アームの先端が第１の操作部材に当接し、前記アームの先端を第１の操作部材に当接する方向に付勢するばね手段が設けられていることを特徴とする請求項１２記載のバッテリーホルダ。
【発明の詳細な説明】
【技術分野】
【０００１】
本発明はバッテリーを着脱可能に収容保持するバッテリーホルダおよびこのバッテリーホルダを備える電子機器に関する。
【背景技術】
【０００２】
バッテリーを用いるデジタルビデオカメラなどの電子機器には、バッテリーを着脱可能に収容保持するバッテリーホルダが設けられている。
このようなバッテリーホルダとして、例えば、バッテリーを収容する収容凹部と、この収容凹部にバッテリーが収容された状態でバッテリーの係合凹部に係脱可能に係合する係合爪と、操作されることで係合爪のバッテリーの係合凹部への係合を解除させる操作部材とを有したものが提案されている（例えば特許文献１）。
【特許文献１】特開２００３−３６８２７号公報
【発明の開示】
【発明が解決しようとする課題】
【０００３】
しかしながら、このように操作部材の操作によりバッテリーの着脱を行なう構成では、操作部材に予期しない外力が作用して操作部材が移動すると係合爪が係合凹部から外れ、バッテリーが収容凹部から不用意に脱落してしまうおそれがある。
このような不都合を防止するために操作部材の移動をロックする機構を設けることが考えられるが、このようなロック機構を設けた場合には、前記操作部材の操作とロック機構のロック解除操作との双方を両手を用いて同時に行なわなくてはならないため、バッテリーを収容凹部から取出す操作が面倒となる問題が生じる。
本発明は、このような事情に鑑みなされたものであり、バッテリーの不用意な脱落を防止しつつ、バッテリー取り外し操作を簡素化する上で有利なバッテリーホルダおよび電子機器を提供することにある。
【課題を解決するための手段】
【０００４】
上述の目的を達成するため、本発明の電子機器は、バッテリーの電力により動作する機器本体と、前記バッテリーを収容するバッテリーホルダとを備え、前記バッテリーホルダは、バッテリーを収容する収容凹部と、前記収容凹部へのバッテリーの係脱を行なう係脱機構とを備え、前記係脱機構は、前記収容凹部へのバッテリーの係合状態を解除する第１の操作部材を有する電子機器であって、前記第１の操作部材の動きを阻止するとともに許容するロック機構が設けられ、前記ロック機構は、ロック位置とロック解除位置との間で往復移動し、バッテリーが前記収容凹部に収容された状態で前記ロック位置からロック解除位置に移動させると該ロック解除位置に留まる第２の操作部材を有し、前記ロック機構は、前記第２の操作部材が前記ロック位置に位置した状態で第１の操作部材の動きが阻止され、前記ロック解除位置に位置した状態で第１の操作部材の動きが許容されるように構成されていることを特徴とする。
また、本発明の電子機器は、バッテリーの電力により動作する機器本体と、前記バッテリーを収容するバッテリーホルダとを備え、前記バッテリーホルダは、バッテリーを収容する収容凹部と、前記収容凹部へのバッテリーの係脱を行なう係脱機構とを備え、前記係脱機構は、移動操作されることで前記収容凹部へのバッテリーの係合状態を解除する第１の操作部材を有する電子機器であって、前記第１の操作部材の動きを阻止するとともに許容するロック機構が設けられ、前記ロック機構は、前記第１の操作部材の近傍に設けられロック位置とロック解除位置との間で往復移動しバッテリーが前記収容凹部に収容され前記係脱機構がバッテリーに係合した状態で前記ロック位置に位置する第２の操作部材を有し、前記ロック機構は、前記第２の操作部材から前記第１の操作部材側に突出し前記第２の操作部材が前記ロック位置に位置した状態で、前記第１の操作部材の移動軌跡内に進入して第１の操作部材の動きを阻止し、かつ、前記第２の操作部材が前記ロック位置からロック解除位置に移動されると、前記第１の操作部材の移動軌跡外に退出して第１の操作部材の動きを許容する突出部を有し、さらに、前記ロック機構は、前記突出部が前記第１の操作部材の移動軌跡外に退出した状態で前記突出部を前記第１の操作部材に係合させ前記第２の操作部材をロック解除位置に留めるばね手段を有していることを特徴とする。
また、本発明のバッテリーホルダは、バッテリーを収容する収容凹部と、前記収容凹部へのバッテリーの係脱を行なう係脱機構とを備え、前記係脱機構は、前記収容凹部へのバッテリーの係合状態を解除する第１の操作部材を有するバッテリーホルダであって、前記第１の操作部材の動きを阻止するとともに許容するロック機構が設けられ、前記ロック機構は、ロック位置とロック解除位置との間で往復移動し、バッテリーが前記収容凹部に収容された状態で前記ロック位置からロック解除位置に移動させると該ロック解除位置に留まる第２の操作部材を有し、前記ロック機構は、前記第２の操作部材が前記ロック位置に位置した状態で第１の操作部材の動きが阻止され、前記ロック解除位置に位置した状態で第１の操作部材の動きが許容されるように構成されていることを特徴とする。
【発明の効果】
【０００５】
そのため、本発明によれば、バッテリーを収容凹部から取り外す際、ユーザーは、一方の手によって第２の操作部材をロック位置からロック解除位置に位置させると、第２の操作部材はそのままロック解除位置に留まるので、第２の操作部材を操作した手で第１の操作部材を動かし、これによりバッテリーの収容凹部への係合状態を解除してバッテリーの取り外しを行なうことができる。
したがって、第２の操作部材によるロック解除動作と、第１の操作部材によるバッテリーの係合解除動作とを片手で行なうことができるので、バッテリーを収容凹部から取り外す操作を簡素化する上で有利となる。また、第２の操作部材をロック位置にしておくと、外力が第１の操作部材に加わったとしても第１の操作部材が動かないため、バッテリーの不用意な脱落を防止する上で有利となる。
【発明を実施するための最良の形態】
【０００６】
バッテリーの不用意な脱落を防止しつつ、バッテリー取り外し操作を簡素化するという目的を、第１の操作部材の動きを阻止するとともに許容するロック機構を設けることによって実現した。
【実施例１】
【０００７】
次に本発明の実施例１について図面を参照して説明する。
図１は実施例１の電子装置としての撮像装置の全体構成を示す斜視図、図２は実施例１のバッテリーホルダの斜視図、図３は実施例１のバッテリホルダを図２とは異なる方向から見た斜視図である。
【０００８】
図１に示すように、撮像装置１００は本体１０２（特許請求の機器本体に相当）を有し、本体１０２の前部には撮影光学系が収容された鏡筒１０４が設けられ、本体１０２の後部にはビューファインダ１０６、メモリカードを挿入するためのスロット１０８が設けられ、本体１２の側部には撮影開始および撮影停止スイッチやズーム操作スイッチなどを含む複数の操作スイッチ１１０と、画像を記録するビデオカセットを収容するカセットホルダ１１２が設けられ、さらに本体１０２の内部には操作スイッチ１１０の操作により撮影光学系を介して撮像するとともに、撮像した映像データをビューファイダ１０６に表示させるとともにメモリカードやビデオカセットに記録する記録再生部や、該記録再生部の制御などを行なう制御部が設けられている。
また、本体１０２の側部には本発明に係るバッテリーホルダ１０が支軸１１４を介して揺動可能に連結され、このバッテリーホルダ１０に収容されるバッテリー２の電力が本体１０２内の前記記録再生部や制御部などに供給され、これらが動作するように構成されている。
バッテリーホルダ１０を本体１０２の下方に位置させた状態でバッテリーホルダ１０の部分は手で把持できるようになり、該バッテリーホルダ１０が撮像装置１のグリップとして機能するように構成されている。
【０００９】
図２に示すように、バッテリー２は長方形板状を呈し、対向する２つの端面のうちの一方の端面に係合凹部２０２が、他方の端面に係合凹部２０４がそれぞれ設けられている。
図２、図３に示すように、バッテリーホルダ１０は、バッテリー２を収容する収容凹部１２と、該収容凹部１２へのバッテリー２の係脱を行なう係脱機構１４と、該係脱機構１４の動きを許容および禁止するロック機構１６とを備えている。
なお、以下の説明においては、説明の便宜上、収容凹部１２の開放されている向きを上方として説明する。
収容凹部１２は、長方形を呈する底壁１００２と、該底壁１００２の四辺から起立された４つの内側壁とで形成されている。
そして、これら底壁１００２の下側と、４つの内側壁の外側にわたりこれら底壁１００２と４つの内側壁を覆うようにケース１００５が取着されている。
前記長方形の２つの短辺のうちの一方を構成する第１内側壁１００４部分にはバッテリー２の電極に接続する接続端子１００８とバッテリー２の係合部２０２に係合する係合部１０１０が設けられている。
また、前記長方形の２つの短辺のうちの他方を構成する第２内側壁１００６と該第２内側壁１００６に対向するケース１００５部分との間には係脱機構１４およびロック機構１６が組み込まれている。
また、第２内側壁１００６と該第２内側壁１００６に接続する底壁１００２には、第２内側壁１００６の長手方向に間隔をおいて２つの開口が形成され、これら各開口から収容凹部１２内方に突出するように板ばね１０１２が配設されている。各板ばね１０１２は収容凹部１２に収容されたバッテリー１２の底部に接触して該底部を底壁１００２から離間する方向に付勢し、バッテリー１２の収容凹部１２からの取り出しを容易にするようにしている。
【００１０】
図７、図８の斜視図は、ケース１００５および板ばね１０１２を取り除いた状態で係脱機構１４、ロック機構１６を見た状態を示している。なお、図９乃至図１８においてもケース１００５および板ばね１０１２の図示は省略されている。
図７、図８に示すように、係脱機構１４は、第１の操作部材１４０２、係合爪１４０４、第１のばね手段１４０６、第２のばね手段１４０７、ホルダ１４０８（図４）などを有している。なお、図７、図８においてホルダ１４０８は図示を省略している。
図７乃至図９に示すように、第１の操作部材１４０２は、揺動中心となる支軸１４０２Ａと、支軸１４０２Ａの長手方向の両端から該支軸１４０２の半径方向外方に延在する２つの第１アーム１４０２Ｂと、前記２つの第１アーム１４０２Ｂの長手方向の中間部から該第１アーム１４０２Ｂに対して直交する方向に延在する第２アーム１４０２Ｃと、第２アーム１４０２Ｃの先端に設けられユーザーにより操作される操作部１４０２Ｄとを有し、第２アーム１４０２Ｃの基端よりも突出する第１アーム１４０２Ｂ部分が係合部１４０２Ｅを構成している。
支軸１４０２Ａは、図４に示すように、その軸線が第２内側壁１００６の幅方向と平行し底壁１００２と直交する方向に延在しており、ケース１００５の内側に設けられた軸受によって揺動可能に支持され、操作部１４０２Ｃはケース１００５に設けられた開口を介してケース１００５の外方に露出している。
第１のばね手段１４０６は板ばねで構成され、カバー１００５の内側に設けられたホルダ１４０８に取着され、図４、図５に示すように、第２アーム１４０２Ｃに当接することにより操作部１４０２Ｄを収容凹部１２の上方に付勢している。
【００１１】
係合爪１４０４は、本体１４０４Ａと、本体１４０４Ａの両側に突出した２つの係合部１４０４Ｂと、内側壁１００６の開口を介して収容凹部１２内に出没しバッテリー２の係合凹部２０４に係合する爪部１４０４Ｃとを有している。
本体１４０４Ａは、第２アーム１４０２Ｃの下方に配設されたホルダ１４０８によって収容凹部１２に対して接近離間する方向に、言い換えると、第２内側壁１００６に対して離間接近する方向にスライド可能に収容保持されている。
第２のばね手段１４０７は、本体１４０４Ａとホルダ１４０８との間に掛け渡されて配設され、第２のばね手段１４０７によって爪部１４０４Ｃが収容凹部１２内に突出する方向に付勢されている。
２つの係合部１４０４Ｂは、第１アーム１４０２Ｂの各係合部１４０２Ｅに係合可能に設けられている。
なお、第１の操作部材１４０２は、第１のばね手段１４０６により操作部１４０２Ｄが収容凹部１２の上方に付勢されており、同時に、係合爪１４０４の係合部１４０４Ｂが第１の操作部材１４０２の係合部１４０２Ｅに係合することで第２のばね手段１４０７により操作部１４０２Ｄが収容凹部１２の下方に付勢されているが、これら第１のばね手段１４０６および第２のばね手段１４０７は、操作部１４０２Ｄが収容凹部１２の下方に付勢される付勢力が上方に付勢される付勢力よりも上回るように設定されている。
これにより、操作部１４０２Ｄは、図４に示すように、第２のばね手段１４０７の付勢力によって該操作部１４０２Ｄに臨む前記開口の対向する上下２つの縁部の下側の縁部に当接して非作動位置に留まるように付勢され、ユーザーによって操作部１４０２Ｄが第２のばね手段１４０７の付勢力に抗して収容凹部１２の上方に揺動された際には、すなわち作動位置に揺動された際には、操作部１４０２Ｄが前記開口の上側の縁部に当接することで上方への限界位置が規制される。
【００１２】
ロック機構１６は、第２の操作部材１６０２と、第３のばね手段１６０４とを有している。
第２の操作部材１６０２は、直線状に延在する第１アーム１６０２Ａ（特許請求の範囲の突出部）と、第１アーム１６０２Ａの一方の端部からほぼ直角に延出された第２アーム１６０２Ｂと、第２アーム１６０２Ｂの先端に設けられユーザーにより操作される操作部１６０２Ｃとを有している。
操作部１６０２Ｃはケース１００５に設けられた開口１０１４を介してケース１００５の外方に露出しており、この操作部１６０２Ｃと操作部１４０２Ｄとは互いに近接した箇所に配置され、これら２つの操作部１６０２Ｃ、１４０２Ｄが指により簡単に操作できるように並べられている。
第１アーム１６０２Ａは、その延在方向が第２内側壁１００６の幅方向と平行するように、第２内側壁１００６に設けられたガイド部によってスライド可能に保持されている。言い換えると、第１アーム１６０２Ａは、第１の操作部材１４０２の揺動軌跡で形成される面に対して直交する方向に延在し、操作部１６０２Ｃが後述するロック位置とロック解除位置との間で往復移動される際にその延在方向に沿い往復直線移動するように設けられている。
第２の操作部材１６０２は、第１アーム１６０２Ａが第１の操作部材１４０２のアーム１４０２Ｂの揺動軌跡上に位置してアーム１４０２Ｂと係合し第１の操作部材１４０２の揺動を阻止するロック位置と、前記揺動軌跡上から退避して第１の操作部材１４０２の揺動を許容するロック解除位置との間で移動（本実施例では直線移動）するように構成されている。
第３のばね手段１６０４は内側壁１００６に取着されたねじりコイルばねなどから構成され、第２の操作部材１６０２は、第３のばね手段１６０４により前記ロック位置方向に付勢されている。
本実施例では、ロック位置において、図７に示すように、操作部１６０２Ｃが開口１０１４の縁部に当接し、第１アーム１６０２Ａが第１の操作部材１４０２の第２アーム１４０２Ｃの上面（収容凹部１２の上方に向いた面）に挿入された状態となり、ロック解除位置において、図１３に示すように、第１アーム１６０２Ａはその先端が第２アーム１４０２Ｃの側面に当接した状態となるように構成されている。
【００１３】
次に、以上のように構成されたバッテリーホルダ１０の作用について説明する。
バッテリー２の収容操作
バッテリーホルダ１０の収容凹部１２にバッテリー２が収容されていない状態では、図４、図７乃至図９に示すように、係合爪１４０４が第１のばね手段１４０７の付勢力によって収容凹部１２内に突出した状態となっており、操作部１４０２Ｄは第２のばね手段１４０７の付勢力によって前記非作動位置に位置し、操作部１６０２Ｃは第３のばね手段１４０７の付勢力によって前記ロック位置に位置している。
この状態で、第１の操作部材１４０２の係合部１４０２Ｅと係合爪１４０４の係合部１４０４Ｂとが係合しており、かつ、この状態が保持されるように第２のばね手段１４０７により付勢されている。
したがって、図１０に示すように、第２の操作部材１６０２の操作部１６０２Ｃを前記ロック位置から前記ロック解除位置にスライドさせたとしても、第１の操作部材１４０２の姿勢は変わらず、したがって、前記ロック解除位置にスライドさせた操作部１６０２Ｃから指を離すと、第２の操作部材１６０２は第３のばね手段１６０４により前記ロック位置に復帰する。すなわち、収容凹部１２にバッテリー２が収容されていない状態では、第２の操作部材１６０２の操作部１６０２Ｃは、ロック解除位置に留まることはなくロック位置に位置することになる。
【００１４】
この状態で、収容凹部１２にバッテリー２を収容すると、図５に示すように、バッテリー２の係合凹部２０２に係合部１０１０が係合され、かつ、係合凹部２０４に係合爪１４０４が係合される。これにより、バッテリー２は収容凹部１２に収容保持される。すなわち、第１の操作部材１４０２と第２の操作部材１６０２を何ら操作することなく、バッテリー２を収容凹部１２に収容することでバッテリー２が収容凹部１２に収容保持される。
この際、係合爪１４０４の爪部１４０４Ｃが係合凹部２０４の底部に当接することで、図５に示すように、係合爪１４０４は収容凹部１２の外方に距離Ｓだけ変位される。
これにより、図１１、図１２に示すように、第１の操作部材１４０２の係合部１４０２Ｅと係合爪１４０４の係合部１４０４Ｂとの間には、距離Ｓに対応した隙間Ｓが形成される。
すなわち、第１の操作部材１４０２は第１のばね手段１４０６によって収容凹部１２の上方に付勢されているものの、第１の操作部材１４０２の第２アーム１４０２Ｃの上面（収容凹部１２の上方に向いた面）に第２の操作部材１６０２の第１アーム１６０２Ａが位置しているため、バッテリー２により係合爪１４０４が移動してもこの係合爪１４０４の移動に連動して第１の操作部材１４０２は揺動されず、前記非作動位置に位置した状態が維持され、これにより第１の操作部材１４０２の係合部１４０２Ｅと係合爪１４０４の係合部１４０４Ｂとの間に距離Ｓに対応した前記隙間Ｓが形成されることになる。
【００１５】
バッテリー２の取出操作
バッテリーホルダ１０の収容凹部１２からバッテリー２を取出す際には、図１３、図４に示すように、指により操作部１６０２Ｃをスライドさせ第２の操作部材１６０２をロック解除位置に移動させる。
第２の操作部材１６０２をロック解除位置に移動させると、第２の操作部材１６０２の第１アーム１６０２Ａが第１の操作部材１４０２の第２アーム１４０２Ｃの上面から退避する。この場合、第１アーム１６０２Ａが第２アーム１４０２Ｃの上面から退避すると同時に、第２アーム１４０２Ｃは、図６に示すように、第１のばね手段１４０６の付勢力により係合部１４０２Ｅが係合部１４０４Ｂに当接するまで揺動する。すなわち、バッテリー２を収容凹部１２に収容することにより生じた前記隙間Ｓ分だけ揺動する。
ここで、指を操作部１６０２Ｃから外すと、図１５、図１６に示すように、第２の操作部材１６０２は第３のばね手段１６０４の付勢力によって前記ロック位置に移動しようとするが、第２アーム１４０２Ｃは隙間Ｓ分だけ揺動しているので、本体部１６０２Ａの先端が第１の操作部材１４０２の第２アーム１４０２Ｃの側面に当接し、これにより第２の操作部材１６０２はロック解除位置に留まる。
ロック解除位置では、第２アーム１４０２Ｃの上面に位置していた第１アーム１６０２Ａが無くなるため、第２アーム１４０２Ｃは収容凹部１２の上方に揺動できる状態となっており、ここで、指により操作部１４０２Ｄを上方に揺動させると（前記作動位置に揺動させると）、図１７、図１８に示すように、第１の操作部材１４０２が上方に揺動され、係合部１４０２Ｅ、１４０４Ｂを介して係合爪１４０４が収容凹部１２の外方に向かって後退する。これにより、板ばね１０１２の作用でバッテリー２は収容凹部１２の底壁１００２から持ち上げられ、収容凹部１２から取出すことが可能な状態となる。
この状態でバッテリー２の上部を手で覆い、そのままバッテリーホルダ１０とバッテリー２を上下反転させれば、バッテリー２が自重により収容凹部１２から外れ手の上に乗る。
【００１６】
以上説明したように本実施例１によれば、バッテリー２を収容凹部１２から取り外す際、ユーザーは、一方の手によって第２の操作部材１６０２をロック位置からロック解除位置に位置させると、第２の操作部材１６０２はそのままロック解除位置に留まるので、第２の操作部材１６０２を操作した手で第１の操作部材１４０２を動かし、これによりバッテリー２の収容凹部１２への係合状態を解除してバッテリー２の取り外しを行なうことができる。
したがって、第２の操作部材１６０２によるロック解除動作と、第１の操作部材１４０２によるバッテリー２の係合解除動作とを片手で行なうことができるので、バッテリー２を収容凹部１２から取り外す操作を簡素化する上で有利となり、例えば、撮像装置１００の本体を一方の手で保持しつつ、他方の手でバッテリー２を交換するといった場合に有利となる。
本実施例では、第１、第２の操作部材１４０２、１６０２の各操作部１４０２Ｄ、１６０２Ｃが互いに近接した箇所に配置されているので、これら操作部１４０２Ｄ、１６０２Ｃを操作する際に手の位置を変える必要が無く、操作性を向上する上でより有利となる。
また、第２の操作部材１６０２をロック位置にしておくと、外力が第１の操作部材１４０２に加わったとしても第１の操作部材１４０２が動かないため、バッテリー２の不用意な脱落を防止する上で有利となる。
また、第２の操作部材１６０２の第１アーム１６０２Ａが、第１の操作部材１４０２の揺動軌跡に対して進退することで、バッテリーの係合状態を解除する第１の操作部材の動きが阻止され、許容されるように構成されているので、ロック機構１６を構成する部品点数が少なくて済み、構成が簡素化され、コストダウンを図る上で有利となる。
【００１７】
なお、本実施例では、電子機器として撮像装置を例示したが、本発明はバッテリーを用いる種々の電子機器に適用可能である。
また、本実施例では、バッテリーを収容凹部に収容保持するバッテリーホルダについて説明したが、本発明はバッテリーに代えて種々のアダプタを収容保持するアダプタホルダにもむろん適用可能である。
【図面の簡単な説明】
【００１８】
【図１】実施例１の電子装置としての撮像装置の全体構成を示す斜視図である。
【図２】実施例１のバッテリーホルダの斜視図である。
【図３】実施例１のバッテリホルダの別の斜視図である。
【図４】実施例１のバッテリホルダにおいてバッテリーが収容されていない状態を示す断面図である。
【図５】実施例１のバッテリホルダにおいてバッテリーが収容されている状態を示す断面図である。
【図６】実施例１のバッテリホルダにおいてバッテリーを取り外す際の状態を示す断面図である。
【図７】実施例１においてバッテリーが収容されていない状態の係脱機構およびロック機構の部分を示す斜視図である。
【図８】図８の要部拡大図である。
【図９】図８における係合爪、第１、第２の操作部材の斜視図である。
【図１０】図８において第２の操作部材をロック解除位置に移動させた状態を示す斜視図である。
【図１１】実施例１のバッテリホルダにおいてバッテリーが収容された状態を示す断面図である。
【図１２】図１１における係合爪、第１、第２の操作部材の斜視図である。
【図１３】図１１において第２の操作部材をロック解除位置に移動させた状態を示す斜視図である。
【図１４】図１３における係合爪、第１、第２の操作部材の斜視図である。
【図１５】図１３において第１の操作部材が第１のばね手段の付勢力により揺動した状態を示す斜視図である。
【図１６】図１５における係合爪、第１、第２の操作部材の斜視図である。
【図１７】図１５において第２の操作部材が第３のばね手段の付勢力により第１の操作部材に当接した状態を示す斜視図である。
【図１８】図１５において第１の操作部材が揺動操作された状態を示す斜視図である。
【符号の説明】
【００１９】
２……バッテリー、１０……バッテリーホルダ、１２……収容凹部、１４……係脱機構、１６……ロック機構、１００……撮像装置。
【図１】
2005050753.tif 000003
【図２】
2005050753.tif 000004
【図３】
2005050753.tif 000005
【図４】
2005050753.tif 000006
【図５】
2005050753.tif 000007
【図６】
2005050753.tif 000008
【図７】
2005050753.tif 000009
【図８】
2005050753.tif 000010
【図９】
2005050753.tif 000011
【図１０】
2005050753.tif 000012
【図１１】
2005050753.tif 000013
【図１２】
2005050753.tif 000014
【図１３】
2005050753.tif 000015
【図１４】
2005050753.tif 000016
【図１５】
2005050753.tif 000017
【図１６】
2005050753.tif 000018
【図１７】
2005050753.tif 000019
【図１８】
2005050753.tif 000020